(57)【要約】【課題】従来の空気調和機は、前面パネルが吹出し口を有する前面パネルと機械室及び電装部を覆う側板に分割されており、空気調和機本体の設置時には、側板部分の複数のスクリューを外し側板を本体より外し内部にあるプリント基板上のスイッチを操作して試運転や初期設定等を行なわなければならず設置に時間を要する。【解決手段】前面パネル１０を吹出し部と機械室４ａ側を一体とし、前面パネル１０に配した把手１１を着脱自在に配設し、把手１１の取り付け孔１２に対向する位置にプリント基板１４を配置し、把手１１を着脱するだけでプリント基板１４のスイッチ１４ａを操作したり、表示装置１４ｂの表示を確認したりすることが出来、据付時の工数を短縮することが出来る。【選択図】図２
2007051822.tif 000002
【特許請求の範囲】
【請求項１】
基盤上に熱交換器、ファンを配し、仕切り板にて仕切られた機械室に圧縮機を配し、機械室上部に電装部を有し、室内機と電気的に接続する為の接続ターミナル及び冷媒配管を接続する為のバルブを機械室側面に配した空気調和機の室外機において、機械室を覆う部分のパネルの上部に取り付け孔を設け、室外機の移動時に手指を引掛ける把手を、手指を引掛ける凹部が前記パネルの内側に入り込む形で着脱自在に前記取り付け孔に配設し、且つ、空気調和機を設置した時等に行う初期設定や試運転のためのスイッチやエラー内容等を表示する表示装置を配したプリント基板を、前記パネルの内側で、前記取り付け孔に対向する位置に配置したことを特徴とする空気調和機。
【請求項２】
前記把手の材料を透明な材料で構成したことを特徴とする請求項１記載の空気調和機。
【発明の詳細な説明】
【技術分野】
【０００１】
本発明は、室外機に初期設定用等のスイッチやエラー表示等の表示機能を有する空気調和機に関するものである。
【背景技術】
【０００２】
図５は従来の空気調和機の室外機の斜視図である。図５に示すように、吹出し口を有する前面部分は、吹出しパネル９と機械室及び電装部を覆う側板１５とに分割しており、空気調和機の設置時には、側板１５の複数のスクリュー１６を外して側板１５を室外機より外し、内部にあるプリント基板上のスイッチを操作して初期設定等を行う。
【０００３】
一方、電装品を配したプリント基板の前面に把手を有するカバーを配置した構成のものとして、本体の側面に電装物のカバーとして覆い板を設けたものがある（特許文献１参照）。
【特許文献１】特開平９−１７８２１９号公報
【発明の開示】
【発明が解決しようとする課題】
【０００４】
しかしながら、従来の技術においては側板を外す為に複数のスクリューを外したり、初期設定等が終わった後、側板を元に戻したりする作業が必要であり、工数を要するという課題があった。
【０００５】
一方、特許文献１記載の空気調和機のカバーは本体の側面に有り、室外機を連続設置した時には、プリント基板上を見ることは困難であるという課題を有する。また、カバーの大きさやプリント基板上の部品を操作するということは記載されていない。
【課題を解決するための手段】
【０００６】
従来の課題を解決するために、本発明の空気調和機は、把手を着脱自在に前面パネルに配設し、把手の取り付け孔に対向する位置にプリント基板を配置したもので、把手を着脱するだけでプリント基板の部品を操作したり、表示装置の表示を確認したりすることが出来る。
【発明の効果】
【０００７】
本発明の空気調和機によれば、上記手段により、据付時の初期設定等の設定が非常に簡単に行え、又、異常表示等の確認も容易に行うことが出来、空気調和機の据付工事の時間を短縮することが出来る。
【発明を実施するための最良の形態】
【０００８】
第１の発明は、基盤上に熱交換器、室外ファンを配し、仕切り板にて仕切られた機械室に圧縮機を配し、機械室上部に電装部を有し、室内機と電気的に接続する為の接続ターミナル及び冷媒配管を接続する為のバルブを機械室側面に配した空気調和機の室外機において、機械室を覆うパネルの上部に取り付け孔を設け、室外機の移動時に手指を引掛ける把手を、手指を引掛ける凹部が前記前面パネルの内側に入り込む形で着脱自在に配設され、且つ、空気調和機を設置した時等に行う初期設定等のためのスイッチやエラー内容等を表示する表示装置を配したプリント基板を、前記前面パネルの内側で、前記把手を取り付ける為に設けた前記前面パネル上の取り付け孔に対向する位置に配置したことを特徴とする。
【０００９】
この発明によれば、空気調和機を設置した時等に行う初期設定等のためのスイッチ操作やエラー表示の確認が側板を外さなくても把手の着脱のみで簡単に行うことが出来る。
【００１０】
第２の発明は、第一の発明において前面パネル上に設けた把手の材料を透明な材料にしたことを特徴とする。この発明によればエラー表示等の表示を前面パネルや、把手を外さずに容易に確認することが出来る。
【００１１】
以下、本発明の実施の形態について、図面を参照しながら説明する。なお、本実施の形態によって本発明が限定されるものではない。
【００１２】
（実施の形態１）
以下に、本発明の第一の実施の形態について図面を参照しながら説明する。
【００１３】
図１は本発明の第一の実施の形態における空気調和機の斜視図、図２は本発明の第一の実施の形態における空気調和機の分解斜視図、図３は本発明の第一の実施の形態における空気調和機の把手近傍の断面図、図４は本発明の第一の実施の形態における空気調和機の取り付け孔近傍の正面図である。
【００１４】
図２において、基盤１上に熱交換器２、ファン３が配設され、仕切り板４にて仕切られた機械室４ａには圧縮機５を配し機械室４ａの上部には電装部６を有している。電装部６と室内機とを電気的に接続する為の接続ターミナル部（図示せず）及び冷媒配管を接続する為のバルブ（図示せず）を機械室４ａの側面に配し、側板７に設けた開口部を介して室内機と接続する構造となっており、電気配線及び配管接続が終了すると配管部カバー８が取り付けられる。
【００１５】
空気調和機の前面は熱交換器２によって熱交換された空気を吹出す吹出し口に設けた吹出しグリル９を有する部分と圧縮機５等を収納する機械室４ａを覆う部分を一体に形成した前面パネル１０で覆われており、吹出しグリル９と機械室４ａを覆う部分との一体化により組立工程の簡略化が可能となっている。又、空気調和機本体を設置する時の持ち運び時に手指を引掛ける把手が設けられ、前面パネル１０の機械室４ａ側の上部に把手１１が、側板７の背面側で前面パネル１０の把手１１にほぼ対向する位置にも一箇所配置されている。把手１１は前面パネル１０に設けた把手１１の投影面積とは若干小さ目の取り付け孔１２を通過して、前面パネル１０の内側に入り込む形で配設され、スクリュー１３にて前面パネル１０に固定されており簡単に取外すことも出来る。
【００１６】
一方、電装部には、空気調和機を設置した時等に行う初期設定や試運転のためのスイッチ１４ａやエラー内容等を表示する表示装置１４ｂを配したプリント基板１４が配設されている。このプリント基板１４の位置は、図３に示すように前面パネル１０の内側で、把手１１を取り付ける為に設けた前面パネル１０上の取り付け孔１２に対向する位置に配置されている。
【００１７】
上記構成により、把手１１を取外すことにより、図４に示すように前面パネル１０の取り付け孔１２より、プリント基板１４上のスイッチ１４ａを操作することにより初期設定や試運転等の操作をすることが出来、又、表示装置１４ｂを確認することも出来る。
【００１８】
又、把手１１の材料を透明の材料にすることにより、空気調和機運転中に異常が生じた時、把手１１を取外さなくとも、プリント基盤１４の表示装置１４ｂの表示を確認出来ることにより、異常内容を敏速に判断することが出来る。
【００１９】
なお、本実施の形態では前面パネル１０を吹出しグリル９と機械室４ａを覆う部分との
一体化としたが、従来のように分離されたものでも本発明は好適である。
【産業上の利用可能性】
【００２０】
本発明の空気調和機は、前面パネルの機械室側に、室外機の移動時に手指を引掛ける把手を、手指を引掛ける凹部が前記前面パネルの内側に入り込む形で着脱自在に配設され、且つ、空気調和機を設置した時等に行う初期設定や試運転のためのスイッチやエラー内容等を表示する表示装置を配したプリント基板を、前面パネルの内側で、把手を取り付ける為に設けた前面パネル上の取り付け孔に対向する位置に配置したことにより、試運転や異常を生じた時の異常内容の確認が容易に出来、試運転スイッチや異常表示装置を室外機に有する空気調和機の室外機に適用することが出来る。
【図面の簡単な説明】
【００２１】
【図１】本発明の実施の形態１における空気調和機の斜視図
【図２】本発明の実施の形態１における空気調和機の分解斜視図
【図３】本発明の実施の形態１における空気調和機の把手近傍の断面図
【図４】本発明の実施の形態１における空気調和機の取り付け孔近傍の正面図
【図５】従来の空気調和機の斜視図
【符号の説明】
【００２２】
１  基盤
２  熱交換器
３  ファン
４  仕切り板
４ａ  機械室
５  圧縮機
６  電装部
７  側板
９  吹出しグリル
１０  前面パネル
１１  把手
１２  取り付け孔
１４  プリント基板
１４ａ  スイッチ
１４ｂ  表示装置
【図１】
2007051822.tif 000003
【図２】
2007051822.tif 000004
【図３】
2007051822.tif 000005
【図４】
2007051822.tif 000006
【図５】
2007051822.tif 000007